(57)【要約】【課題】低コストで共鳴騒音を低減することができる空気調和機を提供する。【解決手段】空気調和機１は、送風機２と、送風機２の運転により流動する空気が通過する熱交換器３と、互いに平行な姿勢で向かい合う一対の内側面４１Ｓ，４２Ｓを有し、空気流出口４５ｂが設けられ、送風機２及び熱交換器３を収容するケース４と、送風機２の運転時に送風機２から発せられる音と少なくとも一方の内側面で反射される音との干渉により生じる共鳴騒音を低減するようにケース４内に設けられ、一対の内側面４１Ｓ，４２Ｓに対して傾いた表面５Ｓを有する騒音低減部材５と、を備える。【選択図】図２
2014031996.tif 000002
【特許請求の範囲】
【請求項１】
送風機（２）と、
前記送風機（２）の運転により流動する空気が通過する熱交換器（３）と、
互いに平行な姿勢で向かい合う一対の内側面（４１Ｓ，４２Ｓ）を有し、空気流出口（４５ｂ）が設けられ、前記送風機（２）及び前記熱交換器（３）を収容するケース（４）と、
前記送風機（２）の運転時に送風機（２）から発せられる音と少なくとも一方の内側面で反射される音との干渉により生じる共鳴騒音を低減するように前記ケース（４）内に設けられ、前記一対の内側面（４１Ｓ，４２Ｓ）に対して傾いた表面（５Ｓ）を有する騒音低減部材（５）と、を備える空気調和機。
【請求項２】
前記騒音低減部材（５）の前記表面（５Ｓ）が前記空気流出口（４５ｂ）に向かう空気の流れに沿う方向に延びている、請求項１に記載の空気調和機。
【請求項３】
前記騒音低減部材（５）は、前記送風機（２）と前記空気流出口（４５ｂ）との間に配置されている、請求項１又は２に記載の空気調和機。
【請求項４】
前記騒音低減部材（５）の前記表面（５Ｓ）は、平面視で前記送風機（２）の羽根車（２１）側に凸の屈曲面又は湾曲面である、請求項１〜３のいずれか１項に記載の空気調和機。
【請求項５】
前記騒音低減部材（５）の前記表面（５Ｓ）は波形状を有する、請求項１〜３のいずれか１項に記載の空気調和機。
【請求項６】
前記空気流出口（４５ｂ）が前記ケース（４）の上部に設けられ、前記送風機（２）が前記空気流出口（４５ｂ）の下方で前記ケース（４）内の下部に設けられている、請求項１〜５のいずれか１項に記載の空気調和機。
【発明の詳細な説明】
【技術分野】
【０００１】
本発明は、空気調和機の騒音対策に関するものである。
【背景技術】
【０００２】
従来、エアハンドリングユニットと呼ばれる空気調和機が知られている（例えば特許文献１参照）。このタイプの空気調和機では、ケースの上部に空気流入口と空気流出口が形成されており、このケース内に熱交換器、送風機、フィルタ等が組み込まれている。この空気調和機では、送風機が運転されることにより、ケースの外部の空気（外気又は室内空気）がダクト等を介して空気流入口からケースの内部に吸い込まれ、フィルタを通過し、熱交換器において熱交換された後、送風機において昇圧され、空気流出口からケースの外部に吹き出される。吹き出された空気は、ダクト等を介して室内に供給される。この供給空気によって室内の空気は加熱又は冷却され、温度調節される。
【０００３】
エアハンドリングユニットは、主として大規模空調に適用されるものであり、送風機の運転により大きな騒音が発生しやすい。具体的に、送風機が運転されると、羽根車の回転により生じる回転騒音、羽根車の回転により生じる渦による乱流騒音などが発生する。特許文献１の空気調和機では、送風機（プラグファン）をハウジングで囲むとともに、このハウジングの吹出口とケースの空気流出口との間に空気流路となる箱体を設ける構造を採用している。この箱体は消音部材による消音機構を有する。この特許文献１の空気調和機では、送風機から空気が吹き出される際に発生する吹出音を、箱体の前板及び後板の内面に取り付けられた消音部材に吸収させることにより低減することができる。
【先行技術文献】
【特許文献】
【０００４】
【特許文献１】特開２０１２−１３３１３号公報
【発明の概要】
【発明が解決しようとする課題】
【０００５】
しかしながら、特許文献１の騒音対策では、ハウジング、消音機構を有する箱体などの多くの部材を設ける必要があるのでコストアップにつながる一方で、仮に、ハウジング及び箱体を省略すると、送風機の運転時に生じる音の進行波がケースの側板の内側面で反射され、進行波と反射波との干渉、反射波同士の干渉などにより生じる定在波が発生しやすくなる。このような定在波により増幅される共鳴騒音は、周波数が低く、空気流出口に接続されるダクトにおいても減衰しにくいため、室内空間へ伝達されやすい。
【０００６】
本発明の目的は、低コストで共鳴騒音を低減することができる空気調和機を提供することである。
【課題を解決するための手段】
【０００７】
本発明の空気調和機は、送風機（２）と、前記送風機（２）の運転により流動する空気が通過する熱交換器（３）と、互いに平行な姿勢で向かい合う一対の内側面（４１Ｓ，４２Ｓ）を有し、空気流出口（４５ｂ）が設けられ、前記送風機（２）及び前記熱交換器（３）を収容するケース（４）と、前記送風機（２）の運転時に送風機（２）から発せられる音と少なくとも一方の内側面で反射される音との干渉により生じる共鳴騒音を低減するように前記ケース（４）内に設けられ、前記一対の内側面（４１Ｓ，４２Ｓ）に対して傾いた表面（５Ｓ）を有する騒音低減部材（５）と、を備える。
【０００８】
この構成では、ケース（４）の内側面（４１Ｓ，４２Ｓ）に対して傾いた表面（５Ｓ）を有する騒音低減部材（５）がケース（４）内に設けられているので、定在波を生じにくくさせることができる。これにより、従来のようなハウジング及び箱体を省略した場合であっても共鳴騒音を低減することができる。具体的には次の通りである。
【０００９】
すなわち、定在波は、互いに平行な姿勢で向かい合う内側面（４１Ｓ，４２Ｓ）間において生じやすい。本構成では、騒音低減部材（５）の表面（５Ｓ）が一対の内側面（４１Ｓ，４２Ｓ）に対して傾いているので、送風機（２）から発せられる進行波の一部や、進行波が内側面において反射される反射波の一部が騒音低減部材（５）に到達すると、一対の内側面（４１Ｓ，４２Ｓ）に対する騒音低減部材（５）の表面（５Ｓ）の傾斜角度に応じた方向に反射される。これにより、互いに平行な姿勢で向かい合う内側面（４１Ｓ，４２Ｓ）間を行き来する音波に起因する定在波が生じにくくなる。
【００１０】
したがって、この構成では、従来のようなハウジング及び箱体を省略して低コストで共鳴騒音を低減することができる。
【００１１】
また、前記空気調和機において、前記騒音低減部材（５）の前記表面（５Ｓ）が前記空気流出口（４５ｂ）に向かう空気の流れに沿う方向に延びているのが好ましい。
【００１２】
この構成では、騒音低減部材（５）を設けることに起因して空気の流れの抵抗が増加するのを抑制できるので、送風機（２）の運転に必要な消費電力の増加を抑制できる。
【００１３】
また、前記空気調和機において、前記騒音低減部材（５）は、前記送風機（２）と前記空気流出口（４５ｂ）との間に配置されているのが好ましい。
【００１４】
この構成では、騒音低減部材（５）が送風機（２）と空気流出口（４５ｂ）との間に配置されているので、送風機（２）から発せられる音に起因する共鳴騒音が空気流出口（４５ｂ）に達する前にその共鳴騒音を確実に騒音低減部材（５）によって低減することができる。
【００１５】
また、前記空気調和機において、前記騒音低減部材（５）の前記表面（５Ｓ）が、平面視で前記送風機（２）側に凸の屈曲面又は湾曲面である場合には、送風機（２）から発せられる音を、その音の騒音低減部材（５）の表面（５Ｓ）に対する入射部位に応じて様々な方向に反射させることができる。これにより、騒音低減部材（５）の表面（５Ｓ）が平面である場合に比べて、定在波がさらに生じにくくなる。
【００１６】
また、前記空気調和機において、前記騒音低減部材（５）の表面（５Ｓ）が波形状を有する場合には、表面（５Ｓ）が平面である場合に比べて、送風機（２）から発せられる音をよりランダムな方向に反射させることができる。これにより、定在波がさらに生じにくくなる。
【００１７】
具体的に、前記空気調和機において、前記空気流出口（４５ｂ）が前記ケース（４）の上部に設けられ、前記送風機（２）が前記空気流出口（４５ｂ）の下方で前記ケース（４）内の下部に設けられている具体的な形態が例示できる。
【発明の効果】
【００１８】
以上説明したように、本発明によれば、騒音対策にかかるコストアップを抑制しつつ、共鳴騒音を低減することができる空気調和機を提供することができる。
【図面の簡単な説明】
【００１９】
【図１】（Ａ）は、本発明の一実施形態に係る空気調和機を示す正面図であり、（Ｂ）は、その平面図である。
【図２】前記空気調和機の送風機配置領域を示す正面図である。
【図３】前記送風機配置領域を示す平面図である。
【図４】前記空気調和機の変形例１を示す平面図である。
【図５】前記空気調和機の変形例２を示す平面図である。
【図６】前記空気調和機の変形例３を示す平面図である。
【図７】前記空気調和機の変形例４を示す正面図である。
【図８】前記空気調和機の変形例４を示す平面図である。
【図９】周波数と騒音のレベルとの関係を示すグラフである。
【発明を実施するための形態】
【００２０】
以下、本発明の一実施形態に係る空気調和機１について図面を参照して詳細に説明する。図１（Ａ）は、本発明の一実施形態に係る空気調和機１を示す正面図であり、図１（Ｂ）は、その平面図である。図２は、空気調和機１における送風機配置空間Ｓ３を示す正面図であり、図３は、送風機配置空間Ｓ３を示す平面図である。
【００２１】
本実施形態に係る空気調和機１は、機外の熱源設備から供給される冷水、温水、蒸気等を用いて空気の温度又は空気の温度及び湿度を調節し、調節された空気を室内へ供給する比較的大きな空気調和機であり、所謂エアハンドリングユニットと呼ばれるものである。図１（Ａ）に示すように、この空気調和機１では、ダクト７１を通じて各部屋からの還気や外気がケース４の内部に取り入れられ、空気の温度が調節された空気、又は空気の温度及び湿度が調節された空気がダクト７２を通じて各部屋に送風される。
【００２２】
図１（Ａ），（Ｂ）に示すように、本実施形態の空気調和機１は、送風機２、熱交換器３、加湿器７、エアフィルタ６及び騒音低減部材５を備え、これらはケース４の内部に収容されている。ただし、空気調和機１では、使用目的に合わせてケース４内に組み込む構成部品を適宜選択できる。例えば加湿器７は省略することもできる。図１（Ｂ）では、ダクト７１，７２の図示を省略している。
【００２３】
ケース４は、複数の側板部と、天板部４５と、土台４６とを含み、これらに囲まれた内部空間を有する箱体である。複数の側板部は、正面側に位置する前板部４１と、背面側に位置して前板部４１に対向する後板部４２と、右側に位置する右板部４３と、左側に位置する左板部４４とを含む。
【００２４】
本実施形態では、ケース４は、直方体形状を有し、複数の側板部４１〜４４は、土台４６の周縁部から鉛直方向上方に延び、前板部４１と後板部４２は互いに平行であり、右板部４３と左板部４４は互いに平行であるが、これに限定されない。ケース４は、必ずしも直方体形状でなくてもよい。また、本実施形態では、ケース４は、土台４６から天板部４５に向かって鉛直方向上方に延びる第１仕切板４７及び第２仕切板４８をさらに含む。
【００２５】
複数の側板部４１〜４４のそれぞれは、内側面を有する。具体的に、前板部４１は内側面４１Ｓを有し、この内側面４１Ｓは、流入側空間Ｓ１、熱交換器配置空間Ｓ２及び送風機配置空間Ｓ３の正面側を区画する壁面を構成している。後板部４２は内側面４２Ｓを有し、この内側面４２Ｓは、流入側空間Ｓ１、熱交換器配置空間Ｓ２及び送風機配置空間Ｓ３の背面側を区画する壁面を構成している。右板部４３は内側面４３Ｓを有し、この内側面４３Ｓは、流入側空間Ｓ１の右側を区画する壁面を構成している。左板部４４は内側面４４Ｓを有し、この内側面４４Ｓは、送風機配置空間Ｓ３の左側を区画する壁面を構成している。
【００２６】
第１仕切板４７は、流入側空間Ｓ１の左側を区画する壁面を構成する内側面と、熱交換器配置空間Ｓ２の右側を区画する壁面を構成する内側面とを有する。第２仕切板４８は、熱交換器配置空間Ｓ２の左側を区画する壁面を構成する内側面と、送風機配置空間Ｓ３の右側を区画する壁面を構成する内側面４８Ｓ（図２，３参照）とを有する。
【００２７】
天板部４５は下面４５Ｓを有し、この下面４５Ｓは、流入側空間Ｓ１、熱交換器配置空間Ｓ２及び送風機配置空間Ｓ３の上側を区画する天井面を構成している。土台４６は上面４６Ｓを有し、この上面４６Ｓは、流入側空間Ｓ１、熱交換器配置空間Ｓ２及び送風機配置空間Ｓ３の下側を区画する底面を構成している。
【００２８】
図３に示すように、送風機配置空間Ｓ３において、前板部４１の内側面４１Ｓと後板部４２の内側面４２Ｓとは、互いに平行な姿勢で向かい合っている。また、送風機配置空間Ｓ３において、左板部４４の内側面４４Ｓと第２仕切板４８の内側面４８Ｓとは、互いに平行な姿勢で向かい合っている。さらに、送風機配置空間Ｓ３において、天板部４５の下面４５Ｓと土台４６の上面４６Ｓとは、互いに平行な姿勢で向かい合っている。
【００２９】
図１（Ａ）に示すように、本実施形態では、前板部４１は、複数のパネル４１ａ，４１ｂ，４１ｃによって構成されている。各パネルは、鉛直軸回りに他のパネルとは独立して開閉可能であるので、ケース４の内部機器のメンテナンスが容易である。ただし、前板部４１は、このような分割された構造に限定されず、単一のパネルによって構成されていてもよい。
【００３０】
図１（Ａ），（Ｂ）に示すように、天板部４５には、空気流入口４５ａと空気流出口４５ｂとが形成されている。空気流入口４５ａは、右板部４３側に設けられている。この空気流入口４５ａには、室外又は室内に連通するダクト７１が接続されている。一方、空気流出口４５ｂは、左板部４４側に設けられている。この空気流出口４５ｂには室内に連通するダクト７２が接続されている。これにより、外気又は室内の空気がダクト７１及び空気流入口４５ａを介してケース４の内部に流入し、温度や湿度が調節された後、空気流出口４５ｂ及びダクト７２を介して室内に供給される。
【００３１】
ケース４の内部には、空気流入口４５ａ側の右板部４３から空気流出口４５ｂ側の左板部４４に向かって、エアフィルタ６、熱交換器３、加湿器７及び送風機２が順に設置されている。熱交換器３は、冷水コイル３１及び温水コイル３２を含む。
【００３２】
ケース４の内部は、第１仕切板４７により、空気流入口４５ａ側の流入側空間Ｓ１と、熱交換器３が配置される熱交換器配置空間Ｓ２とに区画されている。また、ケース４の内部は、第２仕切板４８により、熱交換器配置空間Ｓ２と、送風機２が配置される送風機配置空間Ｓ３とに区画されている。なお、流入側空間Ｓ１と熱交換器配置空間Ｓ２とは仕切られていなくてもよく、また、熱交換器配置空間Ｓ２と送風機配置空間Ｓ３とは仕切られていなくてもよい。したがって、第１仕切板４７及び第２仕切板４８の一方又は両方を省略することもできる。
【００３３】
第１仕切板４７は、エアフィルタ６と冷水コイル３１との間に設けられている。第１仕切板４７には、図略の空気流通口が形成されている。空気流入口４５ａから流入側空間Ｓ１に流入した空気は、エアフィルタ６を通過した後、第１仕切板４７の空気流通口を通って熱交換器配置空間Ｓ２の熱交換器３に流入する。エアフィルタ６は、例えば図略のプレフィルタとメインフィルタとを有し、空気中の塵埃を二段階に除去して空気を浄化する構造であるが、これに限定されない。
【００３４】
冷水コイル３１、温水コイル３２及び加湿器７は、エアフィルタ６を通過した空気が熱交換器配置空間Ｓ２に拡散することなく、冷水コイル３１、温水コイル３２及び加湿器７の順に通過するように連結されている。すなわち、冷水コイル３１の空気通路の流出端と温水コイル３２の空気通路の流入端とが接続され、温水コイル３２の空気通路の流出端と加湿器７の空気通路の流入端とが接続されている。
【００３５】
冷水コイル３１の空気通路を流れる空気は、機外の熱源機から冷水コイル３１に供給される冷水によって冷却される。また、温水コイル３２の空気通路を流れる空気は、機外の熱源機から温水コイル３２に供給される温水によって加熱される。このようにして、エアフィルタ６を通過した空気は、冷水コイル３１を流れる冷水又は温水コイル３２を流れる温水によって温度が調節され、加湿器７において湿度が調節（加湿）される。
【００３６】
図２及び図３に示すように、第２仕切板４８は、加湿器７と送風機２との間に設けられている。第２仕切板４８には、送風機２に空気を案内するためのベルマウス２３が設けられている。熱交換器３において温度調節され、加湿器７において湿度調節された空気は、ベルマウス２３を通じて送風機配置空間Ｓ３に流入する。なお、送風機配置空間Ｓ３における各機器の配置が理解されやすいように、図２では、前板部４１の図示を省略しており、図３では、天板部４５の図示を省略している。
【００３７】
送風機２は、送風機配置空間Ｓ３に設けられている。本実施形態では、送風機配置空間Ｓ３において、送風機２は、高さ方向の中心よりも下方に設けられているが、これに限定されず、高さ方向の中心付近に設けられていてもよく、高さ方向の中心よりも上方に設けられていてもよい。送風機２は、空気流出口４５ｂの真下に設けられている。
【００３８】
送風機２は、羽根車２１と、モータ２２とを備える。モータ２２は、モータ支持台６１を介して土台４６に固定されている。また、モータ支持台６１と土台４６との間やモータ２２とモータ支持台６１との間には、積層ゴムやスプリング等の振動を吸収する図略の振動吸収機構が設けられていてもよい。
【００３９】
羽根車２１は、複数の後向き羽根を有する。本実施形態では、各羽根が平板によって構成されたターボファン（プラグファン）を用いているが、これに限定されない。羽根車２１は、軸方向の一方からのみ空気を吸い込む所謂片吸込型であるが、これに限定されない。羽根車２１は、ベルマウス２３と対向する位置に設けられている。羽根車２１は、略水平方向に延びるモータ２２のシャフト２２ａに固定されており、回転軸Ａを中心に回転する。羽根車２１は、例えばシャフト２２ａに固定される円形のハブ２４と、ベルマウス２３に対向配置されるシュラウド２６と、ハブ２４とシュラウド２６との間において周方向に配列された複数の羽根２５とを含む構造を備える形態が例示できるが、これに限定されない。
【００４０】
次に、騒音低減部材５について説明する。騒音低減部材５は、共鳴騒音を低減するためにケース４内に設けられている。共鳴騒音は、送風機配置空間Ｓ３において、例えば、送風機２の運転時に送風機２から発せられる音と、複数の側板部の少なくとも１つの内側面で反射される音との干渉により生じる。本実施形態では、送風機の羽根車を囲む特許文献１のようなハウジングは設けられておらず、ハウジングの吹出口とケースの空気流出口との間に消音機構を有する箱体は設けられていない。したがって、騒音低減部材５が設けられていなければ、送風機２の運転時に生じる音の進行波がケース４の側板部の内側面で反射され、進行波と反射波との干渉、反射波同士の干渉などにより生じる定在波が発生しやすくなる。すなわち、定在波は、互いに平行な姿勢で向かい合う内側面間において生じやすい。
【００４１】
そこで、本実施形態では、一対の内側面４１Ｓ，４２Ｓ、すなわち前板部４１の内側面４１Ｓ及び後板部４２の内側面４２Ｓに対して傾いた表面５Ｓを有する騒音低減部材５がケース４内に設けられている。騒音低減部材５の表面５Ｓは、前後方向に対向する一対の内側面４１Ｓ，４２Ｓに対して平行ではなく垂直でもない。また、本実施形態における騒音低減部材５の表面５Ｓは、左右方向に対向する一対の内側面４４Ｓ，４８Ｓに対しても傾いている。すなわち、騒音低減部材５の表面５Ｓは、左板部４４の内側面４４Ｓ及び第２仕切板４８の内側面４８Ｓに対して平行ではなく垂直でもない。
【００４２】
本実施形態では、騒音低減部材５の表面５Ｓは平面であるが、これに限定されない。例えば後述する変形例２のように屈曲面であってもよく、変形例３のように表面５Ｓが波形状などであってもよく、全体が滑らかに湾曲した凸曲面や凹曲面などであってもよい。
【００４３】
図３に示す平面視において、騒音低減部材５の表面５Ｓと、側板部の内側面（例えば後板部４２の内側面４２Ｓ）とのなす傾斜角度θは、特に限定されるものではないが、例えば５°〜８５°程度の範囲に設定されるのが好ましい。また、定在波が生じるのを抑制する効果をさらに高めるためには、傾斜角度θは、１０〜８０°程度の範囲に設定されるのがより好ましく、２０〜７０°程度の範囲に設定されるのがさらに好ましい。
【００４４】
騒音低減部材５は、送風機配置空間Ｓ３を空気流出口４５ｂに向かって流れる気流の邪魔になりにくい領域に設けられているのが好ましい。図２及び図３に示すように、騒音低減部材５の表面５Ｓは、空気流出口４５ｂに向かう空気の流れに沿う方向に延びている。換言すれば、騒音低減部材５の表面５Ｓは、送風機２から空気流出口４５ｂに向かう方向に延びている。本実施形態では、空気流出口４５ｂが天板部４５に設けられており、送風機２が空気流出口４５ｂの下方に設けられており、騒音低減部材５の表面５Ｓは、上方に向かって延びている。本実施形態では、騒音低減部材５の表面５Ｓが鉛直方向に平行であるので、騒音低減部材５が設けられている領域では、送風機配置空間Ｓ３の流路の大きさ（流路の断面積）は、ほぼ一定である。ただし、騒音低減部材５の表面５Ｓは、例えば後述する変形例４のように鉛直方向に対して平行ではなく、鉛直方向に対して傾斜していてもよい。
【００４５】
騒音低減部材５は、送風機２と干渉しない領域、すなわち少なくとも羽根車２１に当たらない領域に設けられている。本実施形態では、騒音低減部材５は、送風機２と空気流出口４５ｂとの間に配置されている。具体的に、騒音低減部材５の下端部は、送風機２の近傍に位置しており、騒音低減部材５の上端部は、天板部４５の下面４５Ｓに当接又は近傍する位置にある。また、騒音低減部材５の一方の側端部は、いずれかの内側面（図３では後板部４２の内側面４２Ｓ）に当接又は近傍する位置にあり、騒音低減部材５の他方の側端部は、当該内側面の隣りの内側面（図３では左板部４４の内側面４２Ｓ）に当接又は近傍する位置にある。
【００４６】
本実施形態では、騒音低減部材５の下端部は、騒音低減部材５と羽根車２１との干渉を防止するために羽根車２１よりも上方に位置しているが、羽根車２１との干渉のおそれがない位置であれば、羽根車２１よりも下方に位置していてもよい。
【００４７】
また、本実施形態では、騒音低減部材５の下端部は、ケース４内の上下方向の中心よりも下方に位置しており、騒音低減部材５の上端部は、ケース４内の上下方向の中心よりも上方に位置している。そして、騒音低減部材５の上下方向の長さは、ケース４内の空間の高さ（送風機配置空間Ｓ３の高さ）の１／２よりも大きい。
【００４８】
ただし、騒音低減部材５の長さ、騒音低減部材５が配置される位置は、これに限定されない。例えば、ケース４内の空間の高さの１／２よりも小さい上下方向の長さを有する騒音低減部材５が、送風機配置空間Ｓ３の上下方向の中央付近に配置されていてもよく、送風機配置空間Ｓ３の上下方向の中心よりも上方又は下方に配置されていてもよい。
【００４９】
本実施形態では、騒音低減部材５は、扁平な板状の部材である。この板状の騒音低減部材５が送風機配置空間Ｓ３の角部に近いところに配置されている。これにより、騒音低減部材５が、送風機２から空気流出口４５ｂに向かう気流の妨げになるのを抑制できる。具体的に、図３に示す平面視において、騒音低減部材５の裏面は、隣り合う内側面の交点である角部Ｋ側に向いており、騒音低減部材５の表面５Ｓは、送風機配置空間Ｓ３の中心側に向いている。送風機配置空間Ｓ３の中心は、図３において、対向する角部を結ぶ一方の対角線と他方の対角線との交点である。
【００５０】
騒音低減部材５を構成する材質としては、例えば遮音性を有する材料、吸音性を有する材料、又は遮音性及び吸音性を有する材料などを用いるのが好ましいが、これらに限定されるものではない。騒音低減部材５が吸音性を有する場合には、送風機配置空間Ｓ３に騒音低減部材５が設けられることにより、送風機配置空間Ｓ３は、騒音を吸収する空間（騒音を吸収する空洞部）として機能する。
【００５１】
騒音低減部材５の材料としては、例えば合成樹脂などの種々の材料が例示できる。具体的には、騒音低減部材５としては、例えば低コストでしかも軽量な所謂プラスチック段ボール製の板状部材が挙げられるが、これに限定されない。
【００５２】
次に、空気調和機１の動作について説明する。冷房運転時には、機外の熱源機において冷却された冷水を冷水コイル３１に流通させ、暖房運転時には、機外の熱源機において加熱された温水を温水コイル３２に流通させる。そして、送風機２のモータ２２に通電して羽根車２１を回転させる。羽根車２１の回転により、ケース４の熱交換器配置空間Ｓ２の空気が送風機配置空間Ｓ３に吸い込まれるので、熱交換器配置空間Ｓ２及びこの空間Ｓ２に連通する流入側空間Ｓ１がケース４の外部よりも圧力が低い負圧状態となる。これにより、空気流入口４５ａを通じて空気がケース４内の流入側空間Ｓ１に流入する。
【００５３】
流入側空間Ｓ１に流入した空気は、エアフィルタ６を通過し、エアフィルタ６によって含有する塵埃が除去される。エアフィルタ６を通過した空気は、第１仕切板４７に形成された空気流通口を通過して冷水コイル３１及び温水コイル３２の空気通路内に流入する。冷水コイル３１及び温水コイル３２の空気通路内において、空気は冷水又は温水と熱交換して温度調節される。そして、温度調節された空気は、温水コイル３２の空気通路を通過して加湿器７の空気通路に流入する。加湿器７の空気通路に流入した空気は、湿度が調節される。
【００５４】
温度調節され、湿度調節された空気は、ベルマウス２３を通じて送風機配置空間Ｓ３に流入する。送風機配置空間Ｓ３に流入した空気は、回転する羽根車２１によって羽根車２１の周囲に拡散し、おおむね上方に向かって移動する。上方に移動する空気は、騒音低減部材５の表面５Ｓに沿って空気流出口４５ｂに向かって流れ、ダクト７２に排出され、このダクト７２を通って室内へ供給される。
【００５５】
図４は、空気調和機１の変形例１を示す平面図である。図４に示す変形例１では、ケース４の内部に複数の騒音低減部材５が設けられている。複数の騒音低減部材５は互いに別体である。図４に示す変形例１では、２つの騒音低減部材５が設けられているが、３つ以上の騒音低減部材５が設けられていてもよい。
【００５６】
図４に示すように、一方の騒音低減部材５は、図２及び図３に示す上記実施形態と同様の位置に設けられている。一方の騒音低減部材５は、いずれかの内側面（図４では後板部４２の内側面４２Ｓ）とこの内側面の隣りの内側面（図４では左板部４４の内側面４４Ｓ）との角部Ｋ１と、送風機配置空間Ｓ３の中心との間に介在するように配置されている。他方の騒音低減部材５は、角部Ｋ１の隣りの角部Ｋ２と、送風機配置空間Ｓ３の中心との間に介在するように配置されている。図４に示す平面視において、これらの騒音低減部材５の間には、羽根車２１の回転中心である回転軸Ａが位置している。
【００５７】
図５は、空気調和機１の変形例２を示す平面図である。図５に示すように、この変形例２では、騒音低減部材５の表面５Ｓは、平面視で送風機２の羽根車２１側に凸の屈曲面である。この屈曲面は、２つの平面がブリッジ状に組み合わされて構成されている。この屈曲面は、各内側面に対して傾いており、上下方向に延びている。騒音低減部材５の表面５Ｓは、屈曲面ではなく例えば湾曲面であってもよい。
【００５８】
図６は、空気調和機１の変形例３を示す平面図である。図６に示す変形例３では、騒音低減部材５の表面５Ｓは波形状を有する。波形状により形成される複数の溝は、気流の方向に沿って鉛直方向に延びているが、これに限定されない。複数の溝は、例えば鉛直方向に対して傾斜した方向に延びていてもよく、水平方向に延びていてもよい。
【００５９】
図７は、空気調和機１の変形例４を示す正面図であり、図８は、変形例４を示す平面図である。図７及び図８に示すように、変形例４では、騒音低減部材５の表面５Ｓは、鉛直方向に対して傾斜している。この騒音低減部材５は、板状の部材であり、この部材全体が鉛直方向に対して傾けて配置されている。
【００６０】
図９は、周波数と騒音のレベルとの関係を示すグラフである。図９に示す実施例のデータは、図６に示す変形例３の騒音低減部材５を送風機配置空間Ｓ３に配置した場合のデータである。また、図９に示す参考例のデータは、騒音低減部材５を配置していない場合のデータである。図９に示すグラフの縦軸の１目盛りは５ｄＢである。図９に示すように、実施例では、共鳴周波数において、騒音のレベルが参考例に比べて大幅に低減されていることがわかる。なお、この実施例では、騒音低減部材５として、平板状のクラフトボードに波板を取り付けたものを用いた。
【００６１】
以上説明したように、前記実施形態及び各変形例の空気調和機１では、ケース４の内側面４１Ｓ，４２Ｓに対して傾いた表面５Ｓを有する騒音低減部材５がケース４内に設けられているので、定在波を生じにくくさせることができる。これにより、従来のようなハウジング及び箱体を省略した場合であっても共鳴騒音を低減することができる。
【００６２】
また、前記実施形態及び各変形例の空気調和機１において、騒音低減部材５の表面５Ｓは、空気流出口４５ｂに向かう空気の流れに沿う方向に延びている。したがって、騒音低減部材５を設けることに起因して空気の流れの抵抗が増加するのを抑制できるので、送風機２の運転に必要な消費電力の増加を抑制できる。
【００６３】
また、前記実施形態及び各変形例の空気調和機１において、騒音低減部材５は、送風機２と空気流出口４５ｂとの間に配置されているので、送風機２から発せられる音に起因する共鳴騒音が空気流出口４５ｂに達する前にその共鳴騒音を確実に騒音低減部材５によって低減することができる。
【００６４】
また、変形例２では、騒音低減部材５の表面５Ｓが、平面視で送風機２の羽根車２１側に凸の屈曲面であるので、羽根車２１から発せられる音を、その音の騒音低減部材５の表面５Ｓに対する入射部位に応じて様々な方向に反射させることができる。これにより、騒音低減部材５の表面５Ｓが平面である場合に比べて、定在波がさらに生じにくくなる。
【００６５】
また、変形例３では、騒音低減部材５の表面５Ｓが波形状を有するので、表面５Ｓが平面である場合に比べて、送風機２から発せられる音をよりランダムな方向に反射させることができる。これにより、定在波がさらに生じにくくなる。
【００６６】
また、前記実施形態及び各変形例では、送風機配置空間Ｓ３に騒音低減部材５を設けることにより、送風機配置空間Ｓ３の容積を変える（容積を小さくする）効果があり、これにより、共鳴周波数をずらすことができる。
【００６７】
以上、本発明の実施形態について説明したが、本発明はこれらの実施形態に限定されるものではなく、その趣旨を逸脱しない範囲で種々変更、改良等が可能である。
【００６８】
前記実施形態では、騒音低減部材５が板状の部材である場合を例示したが、これに限定されない。騒音低減部材５は、一対の内側面４１Ｓ，４２Ｓに対して傾いた表面５Ｓを有していればよいので、板状の部材でなくてもよい。騒音低減部材５は、例えば図３において、騒音低減部材５の裏面側の部分が後板部４２の内側面４２Ｓと左板部４４の内側面４４Ｓとの間に隙間が形成されないような三角柱状の部材が例示できる。
【００６９】
前記実施形態では、騒音低減部材５が送風機２と空気流出口４５ｂとの間に配置されている場合を例示したが、これに限定されない。騒音低減部材５は、送風機２よりも下方に設けられていてもよい。
【００７０】
前記実施形態では、熱交換器３が冷水コイル３１及び温水コイル３２を含む場合を例示したが、これに限定されない。熱交換器３は、他のタイプの熱交換器であってもよい。
【００７１】
前記実施形態では、空気流出口４５ｂがケース４の天板部４５に設けられ、送風機２が空気流出口４５ｂの真下に設けられている場合を例示したが、これに限定されない。空気流出口４５ｂは、天板部４５ではなく、側板部などの他の部位に設けられていてもよい。また、送風機２は、空気流出口４５ｂの真下ではなく、空気流出口４５ｂの真下の位置よりも水平方向にずれた位置に設けられていてもよい。
【符号の説明】
【００７２】
１  空気調和機
２  送風機
３  熱交換器
４  ケース
５  騒音低減部材
５Ｓ  騒音低減部材の表面
２１  羽根車
４１  前板部
４１Ｓ  前板部の内側面
４２  後板部
４２Ｓ  後板部の内側面
４３  右板部
４３Ｓ  右板部の内側面
４４  左板部
４４Ｓ  左板部の内側面
４５  天板部
４５ａ  空気流入口
４５ｂ  空気流出口
４６  土台
４７  第１仕切り板
４８  第２仕切り板
４８Ｓ  第２仕切板の内側面
Ｓ１  流入側空間
Ｓ２  熱交換器配置空間
Ｓ３  送風機配置空間
【図１】
2014031996.tif 000003
【図２】
2014031996.tif 000004
【図３】
2014031996.tif 000005
【図４】
2014031996.tif 000006
【図５】
2014031996.tif 000007
【図６】
2014031996.tif 000008
【図７】
2014031996.tif 000009
【図８】
2014031996.tif 000010
【図９】
2014031996.tif 000011